(57)【要約】【課題】近距離無線通信を良好に行える情報処理装置及び無線テレメータシステムの提供。【解決手段】記憶部を備える通信装置と近距離通信を行う近距離無線通信部を備え、近距離無線通信部を通じて、記憶部に書き込むべき情報を送信すると共に、記憶部から読み出した情報を受信する携帯型の情報処理装置において、自装置内での近距離無線通信部の配置に係る情報を記憶する記憶手段と、記憶手段から読み出した配置に係る情報を報知する報知手段とを備える。【選択図】図３
2016100727.tif 000002
【特許請求の範囲】
【請求項１】
記憶部を備える通信装置と近距離通信を行う近距離無線通信部を備え、該近距離無線通信部を通じて、前記記憶部に書き込むべき情報を送信すると共に、前記記憶部から読み出した情報を受信する携帯型の情報処理装置において、
自装置内での前記近距離無線通信部の配置に係る情報を記憶する記憶手段と、
該記憶手段から読み出した配置に係る情報を報知する報知手段と
を備えることを特徴とする情報処理装置。
【請求項２】
前記近距離無線通信部は、情報を送受信するためのアンテナを有し、
前記記憶手段は、前記近距離無線通信部の配置に係る情報として、前記アンテナの位置を記憶してあることを特徴とする請求項１に記載の情報処理装置。
【請求項３】
前記報知手段は、前記配置に係る情報を表示する表示パネルを備えることを特徴とすることを特徴とする請求項１又は請求項２に記載の情報処理装置。
【請求項４】
情報処理装置を識別する識別情報と、該情報処理装置内での近距離無線通信部の配置に係る情報とを関連付けて前記記憶手段に記憶してあり、
自装置の識別情報に対応付けて記憶されている情報を前記記憶手段から読み出すようにしてあることを特徴とする請求項１から請求項３の何れか１つに記載の情報処理装置。
【請求項５】
記憶部と、需要家に供給される供給物の使用量を計測するメータを接続する接続手段とを備える通信装置、及び、該通信装置と近距離通信を行う近距離無線通信部を備え、該近距離無線通信部を通じて、前記記憶部に書き込むべき情報を送信すると共に、前記記憶部から読み出した情報を受信する携帯型の情報処理装置を含む無線テレメータシステムにおいて、
前記情報処理装置は、
自装置内での前記近距離無線通信部の配置に係る情報を記憶する記憶手段と、
該記憶手段から読み出した配置に係る情報を報知する報知手段と
を備えることを特徴とする無線テレメータシステム。  
【発明の詳細な説明】
【技術分野】
【０００１】
本発明は、メータにて計測された水道、ガスなどの使用量を無線網を利用してセンタ側の通信装置へ送信する無線通信装置に対して設定を行うための情報処理装置及び無線テレメータシステムに関する。
【背景技術】
【０００２】
従来、ガス、水道等のメータ検針用に開発された無線テレメータシステムでは、ホストコンピュータおよびセンタ網制御装置を備えたセンタ側装置にＰＨＳ網、ＦＯＭＡ網などの広域無線網を介して無線親機が接続される。また、無線親機には、複数の無線子機が接続されており、無線子機の夫々には検針用のメータが接続されている。メータから得られる検針値などのデータは、無線子機から無線親機へ送信され、さらに無線親機からセンタ側装置へ送信される。または、無線子機から中継子機を複数段経由して親機へ送信する場合もある。
【０００３】
従来の無線親機及び無線子機は、各種動作モードによる動作を実施するためにディップスイッチや各種ボタンを備えている。このような動作モードには、例えば、各機器の通信相手を定めるための縁組モード、電波強度測定用の電波を発射する電波発射モード、外部から発射された電波の電波強度を測定する電波測定モードなどが含まれる。無線親機及び無線子機に搭載されたマイコンは、ディップスイッチにより設定された内容を読み取ることにより実施すべき動作モードを判別し、各種ボタンを通じて特定の操作を受付けた場合、判別した動作モードによる動作を実施していた。また、無線チャンネルやＩＤ番号を設定するためのディスプレイを備える場合もある。
【先行技術文献】
【特許文献】
【０００４】
【特許文献１】特開２００６−３０３９４２号公報
【発明の概要】
【発明が解決しようとする課題】
【０００５】
上述した無線親機及び無線子機では、各種動作モードによる動作を実施するために物理的なスイッチ及びボタンを設ける必要がある。無線親機及び無線子機に搭載する動作モードが多様化すれば、多数のディップスイッチ等が必要となり、無線親機及び無線子機の製造コストが上昇したり、故障率が増加する原因となり得る。
【０００６】
このため、物理的なスイッチ及びボタンによる操作を受付けることなく各種動作モードを設定するために、無線親機及び無線子機と、設定器（ＮＦＣ端末）との間で、近距離無線通信が行えることが望まれている。
【０００７】
本発明は、斯かる事情に鑑みてなされたものであり、近距離無線通信を良好に実施することができる情報処理装置及び無線テレメータシステムを提供することを目的とする。
【課題を解決するための手段】
【０００８】
本願の情報処理装置は、記憶部を備える通信装置と近距離通信を行う近距離無線通信部を備え、該近距離無線通信部を通じて、前記記憶部に書き込むべき情報を送信すると共に、前記記憶部から読み出した情報を受信する携帯型の情報処理装置において、自装置内での前記近距離無線通信部の配置に係る情報を記憶する記憶手段と、該記憶手段から読み出した配置に係る情報を報知する報知手段とを備えることを特徴とする。
【０００９】
本願の情報処理装置は、前記近距離無線通信部は、情報を送受信するためのアンテナを有し、前記記憶手段は、前記近距離無線通信部の配置に係る情報として、前記アンテナの位置を記憶してあることを特徴とする。
【００１０】
本願の情報処理装置は、前記報知手段は、前記配置に係る情報を表示する表示パネルを備えることを特徴とする。
【００１１】
本願の情報処理装置は、情報処理装置を識別する識別情報と、該情報処理装置内での近距離無線通信部の配置に係る情報とを関連付けて前記記憶手段に記憶してあり、自装置の識別情報に対応付けて記憶されている情報を前記記憶手段から読み出すようにしてあることを特徴とする。
【００１２】
本願の無線テレメータシステムは、記憶部と、需要家に供給される供給物の使用量を計測するメータを接続する接続手段とを備える通信装置、及び、該通信装置と近距離通信を行う近距離無線通信部を備え、該近距離無線通信部を通じて、前記記憶部に書き込むべき情報を送信すると共に、前記記憶部から読み出した情報を受信する携帯型の情報処理装置を含む無線テレメータシステムにおいて、前記情報処理装置は、自装置内での前記近距離無線通信部の配置に係る情報を記憶する記憶手段と、該記憶手段から読み出した配置に係る情報を報知する報知手段とを備えることを特徴とする。  
【発明の効果】
【００１３】
本願によれば、無線テレメータシステムで用いられる通信装置と、この通信装置に対する設定を行う情報処理装置との間で、近距離無線通信を良好に実施することができる。
【図面の簡単な説明】
【００１４】
【図１】無線テレメータシステムの全体構成を示すブロック図である。
【図２】無線子機の内部構成を示すブロック図である。
【図３】ＮＦＣ端末の内部構成を示すブロック図である。
【図４】近距離無線通信部の構成例を示すブロック図である。
【図５】ＮＦＣ端末のリーダライタアプリにより提供されるアプリケーション画面の一例を示す模式図である。
【図６】ＮＦＣ端末に表示される案内画面の一例を示す模式図である。
【図７】実施の形態２に係るアプリケーション画面の一例を示す模式図である。
【図８】実施の形態２に係るＮＦＣ端末の動作を説明するフローチャートである。
【図９】配置テーブルの位置例を示す概念図である。
【図１０】実施の形態３に係るＮＦＣ端末の動作を説明するフローチャートである。
【図１１】実施の形態４に係る無線子機の動作を説明するフローチャートである。
【発明を実施するための形態】
【００１５】
以下、本発明をその実施の形態を示す図面に基づいて具体的に説明する。
（実施の形態１）
図１は無線テレメータシステムの全体構成を示すブロック図である。本実施の形態に係る無線テレメータシステムは、センタ側の構成として、ホストコンピュータ１１及びセンタ側網制御装置１２を備え、端末側の構成として、無線親機２１、無線子機２２，２２，…，２２、及びメータ２３，２３，…，２３を備える。メータ２３は、需要家毎に設置され、ガス、水道、電気など事業体から供給される供給物の使用量を計測し、計測結果（検針値）を出力する計測器である。無線テレメータシステムは、メータ２３の検針値を示すデータ、無線親機２１及び無線子機２２の動作状態を示すデータなど端末側から出力される各種データを、無線通信を利用してセンタ側へ送信すると共に、無線親機２１及び無線子機２２の動作を制御するためのコマンド等を含んだ各種データをセンタ側から端末側へ送信することを特徴の１つとしている。
【００１６】
センタ側網制御装置１２と端末側の無線親機２１とは、例えばＰＨＳ網、ＦＯＭＡ網などの広域無線網Ｎ１に接続され、広域無線網Ｎ１を介して無線通信を行う。なお、図１に示す例では、広域無線網Ｎ１に接続されている無線親機２１の数を１つとしたが、複数の無線親機２１が接続されていてもよいことは勿論のことである。
【００１７】
センタ側網制御装置１２は、例えば通信事業者の公衆網に設けられ、広域無線網Ｎ１を介した端末側との通信を制御する機能を有する。センタ側網制御装置１２は、ホストコンピュータ１１から端末側へ送信すべきデータが入力された場合、広域無線網Ｎ１の通信規格に準拠した通信方式にて、端末側へデータを送信する。また、端末側から送信されたデータを広域無線網Ｎ１を介して受信した場合、受信したデータをホストコンピュータ１１へ送信するように構成されている。
【００１８】
無線親機２１は、広域無線網Ｎ１を介してセンタ側に接続されると共に、縁組みされた複数の無線子機２２，２２，…，２２との間で狭域無線網Ｎ２を形成する。無線親機２１は、広域無線網Ｎ１を介してセンタ側のホストコンピュータ１１と無線通信を行うと共に、狭域無線網Ｎ２を介して無線子機２２，２２，…，２２と無線通信を行うように構成されている。
【００１９】
無線子機２２は、自機に接続されたメータ２３から検針値を取得した場合、検針値を示すデータを狭域無線網Ｎ２を介して無線親機２１へ送信する。また、無線親機２１は、無線子機２２から送信されるデータを受信した場合、及び自機においてホストコンピュータ１１へ通知すべきイベントが発生した場合、広域無線網Ｎ１を介してホストコンピュータ１１と無線通信を行う。
【００２０】
また、無線子機２２は、近距離無線通信部２２６（図２を参照）を備えており、ＮＦＣ（Near Field Communication）リーダライタ機能を搭載したＮＦＣ端末３０と近距離無線通信を行えるように構成されている。
【００２１】
ＮＦＣ端末３０は、ＮＦＣリーダライタ機能が搭載されたスマートフォン、タブレット端末、携帯電話機等の携帯型の情報処理装置である。ＮＦＣ端末３０は、無線子機２２と近距離無線通信を行うことにより、無線子機２２に設定されている各種情報を読み出して自機の画面に表示させたり、無線子機２２に設定させるべき情報を送信し、無線子機２２が備えるメモリに書き込んだりすることができるように構成されている。
【００２２】
なお、本実施の形態では、近距離無線通信の一例としてＮＦＣを採用した構成について説明を行うが、ＮＦＣ以外の近距離無線通信を用いてもよいことは勿論のことである。
【００２３】
図２は無線子機２２の内部構成を示すブロック図である。無線子機２２は、制御部２２０、記憶部２２１、狭域無線通信部２２２、メータＩＦ２２３、表示部２２４、操作部２２５などを備える。無線子機２２が備えるハードウェア各部は、電池２２９から供給される電力により動作するように構成されている。
【００２４】
制御部２２０は、例えば、ＣＰＵ、ＲＯＭ、ＲＡＭなどを備え、ＲＯＭに予め格納された制御プログラムをＲＡＭに読み出し、ＣＰＵが前記制御プログラムを実行することにより、機器全体を本発明に係る通信装置として機能させる。
【００２５】
記憶部２２１は、例えば、ＥＰＲＯＭなどの不揮発性メモリにより構成されており、自機の設定情報、センタ側、無線親機２１及びメータ２３と通信するために必要な情報等を記憶する。
【００２６】
狭域無線通信部２２２は、アンテナ２２２ａを通じて電波を発信または受信することによって、無線親機２１及び他の無線子機２２と所定の無線通信方式にて通信を行う。無線通信方式としては、例えば特定小電力無線方式が採用される。無線子機２２の狭域無線通信部２２２は、送信すべきデータを有する無線親機２１又は他の無線子機２２を探索するための探索信号として、ビーコンを間欠的に送信する。また、狭域無線通信部２２２は、無線親機２１又は他の無線子機２２から送信されるビーコンを受信した場合であって、自機が送信すべきデータを有するとき、当該データをビーコンの送信元へ送信する。
【００２７】
メータＩＦ２２３は、ガス、水道などの使用量を計測するためのメータ２３に接続される。メータＩＦ２２３は、接続されたメータ２３から検針値を取得した場合、検針値を示すデータを制御部２２０へ送出する。
【００２８】
表示部２２４は、ＬＥＤランプ、液晶表示パネル等により構成されており、制御部２２０から出力される制御信号に基づいて、保守作業を行う作業員等に通知すべき情報を表示する。
【００２９】
操作部２２５は、例えば保守作業を行う作業員等による各種の設定操作を受付ける。制御部２２０は、操作部２２５から入力される設定内容を基に各種制御を行い、必要に応じて設定内容を記憶部２２１に記憶させる。
【００３０】
近距離無線通信部２２６は、ＮＦＣ端末３０から発信される電波を受信するためのアンテナ、アンテナにて受信した電波により電力が誘起されて駆動するＩＣチップ等（不図示）を備えており、自機から所定の距離範囲内（例えば１０ｃｍ以下）まで接近したＮＦＣ端末３０と近距離無線通信を行う。ＮＦＣ端末３０から近距離無線通信により設定される情報は、ＩＣチップの内蔵メモリ（不図示）に書き込まれるか、又は制御部２２０を通じて記憶部２２１に書き込まれるように構成されている。
【００３１】
図３はＮＦＣ端末３０の内部構成を示すブロック図である。ＮＦＣ端末３０は、制御部３００、記憶部３０１、近距離無線通信部３０２、表示部３０３、操作部３０４等を備える。
【００３２】
制御部３００は、例えば、ＣＰＵ、ＲＯＭ、ＲＡＭなどを備え、ＲＯＭに予め格納された制御プログラムをＲＡＭに読み出し、ＣＰＵが前記制御プログラムを実行することにより、装置全体を本発明に係る情報処理装置として機能させる。
【００３３】
記憶部３０１は、例えば、ＥＥＰＲＯＭなどの不揮発性メモリを備えており、制御部３００が生成した情報、近距離無線通信部３０２にて取得した情報、操作部３０４を通じて入力された情報等を記憶する。また、記憶部３０１には、ＮＦＣを利用して無線子機２２に情報を設定するためのリーダライタ用のアプリケーションプログラム（以下、リーダライタアプリという）、及び近距離無線通信部３０２の配置を示す配置情報が記憶されているものとする。近距離無線通信部３０２の配置情報は、装置内で近距離無線通信部３０２がどこに配置されているのかを示す情報である。より詳細には、近距離無線通信部３０２のＮＦＣアンテナ３０２ｂ（図４を参照）の位置を示しており、無線子機２２側と良好に通信できるＮＦＣ端末３０の位置、すなわちＮＦＣアンテナ３０２ｂの電波強度が最も強くなる位置を示している。
【００３４】
なお、リーダライタアプリは、ＮＦＣ端末３０に予めインストールされているものであってもよく、事後的にインストールされるものであってもよい。また、近距離無線通信部３０２の配置に係る情報は、ＮＦＣ端末３０の記憶部３０１に予め記憶されている情報であってもよく、リーダライタアプリ内で定義される情報であってもよい。
【００３５】
近距離無線通信部３０２は、無線子機２２と近距離無線通信を行う。図４は近距離無線通信部３０２の構成例を示すブロック図である。近距離無線通信部３０２は、例えばＮＦＣ回路部３０２ａ、ＮＦＣアンテナ３０２ｂ、及びＮＦＣメモリ３０２ｃを備える。ＮＦＣ回路部３０２ａは、制御部３００に接続されており、ＮＦＣメモリ３０２ｃを通じて無線子機２２へ送信すべき信号が制御部３００から入力されると共に、ＮＦＣアンテナ３０２ｂにて外部から受信した電波をデコードし、デコードして得られる信号を制御部３００へ送出する。ＮＦＣアンテナ３０２ｂは、ＮＦＣ端末３０の適宜の箇所に配置されている。上述したように、このＮＦＣアンテナ３０２ｂの位置を示す情報は、記憶部３０１に記憶されているものとする。ＮＦＣメモリ３０２ｃは、制御部３００から入力された信号、受信した電波をデコードして得られる信号を一時的に記憶する。
【００３６】
表示部３０３は、例えば液晶表示パネルを備え、制御部３００から出力される情報、記憶部３０１から読み出された情報等を表示する。
【００３７】
操作部３０４は、例えば、キーボード、タッチパネル等を備え、作業員等による各種の情報の入力を受付ける。
【００３８】
以下、ＮＦＣ端末３０の動作について説明する。
図５はＮＦＣ端末３０のリーダライタアプリにより提供されるアプリケーション画面の一例を示す模式図である。ＮＦＣ端末３０の表示部３０３に表示されるアプリケーション画面１００は、例えば、無線子機２２から読み出した情報、及び無線子機２２に対して書き込むべき情報を表示するための表示欄１０１、無線子機２２から情報を読み出すときに操作されるリードボタン１０２、無線子機２２に対して情報を書き込むときに操作されるライトボタン１０３、近距離無線通信部３０２の配置情報をアイコンにより表したターゲットマーク１０４を含む。
【００３９】
図５に示す例において、リードボタン１０２は及びライトボタン１０３は、例えば、リーダライタアプリのＧＵＩコンポーネントの一部であり、タッチパネルを利用したソフトウェアボタンとして配置される。ＮＦＣ端末３０が無線子機２２と近距離無線通信が可能な距離範囲内にある場合であって、リードボタン１０２又はライトボタン１０３が作業員の指によりタッチ操作されたとき、ＮＦＣ端末３０は、近距離無線通信部３０２を通じて、無線子機２２から情報の読み込み、又は無線子機２２への情報の書き込みを行う。
【００４０】
本実施の形態では、無線子機２２との近距離無線通信を良好に行えるように、近距離無線通信部３０２の配置情報（すなわちＮＦＣアンテナ３０２ｂの位置）に基づきターゲットマーク１０４を表示するようにしている。ＮＦＣ端末３０は、ターゲットマーク１０４を無線子機２２に近づけた後に、リードボタン１０２又はライトボタン１０３を押下操作すべき旨の案内を表示することで、無線子機２２との近距離無線通信が良好に行えるように誘導する構成としている。
【００４１】
以上のように、実施の形態１では、近距離無線通信部３０２の配置情報（すなわちＮＦＣアンテナ３０２ｂの位置）をＮＦＣ端末３０の画面上にターゲットマーク１０４により表示できるので、ＮＦＣ端末３０を携帯する作業員は、画面上に表示されているターゲットマーク１０４を無線子機２２の所定の箇所に近づけることにより、通信状況が良好な状態で近距離無線通信を実施することができる。
【００４２】
（実施の形態２）
実施の形態１は、リーダライタアプリが提供するアプリケーション画面１００にターゲットマーク１０４を重畳して表示する構成としたが、ＮＦＣ端末３０を無線子機２２に近づけさせるための案内表示を行った後に、アプリケーション画面１００を表示する構成としてもよい。
実施の形態２では、作業員がリーダライタアプリを起動させた場合、まず、ＮＦＣ端末３０を無線子機２２に近づけさせるための案内画面を表示し、その後にアプリケーション画面１００を表示する構成について説明を行う。なお、無線テレメータシステムの構成、無線子機２２及びＮＦＣ端末３０のハードウェア構成等については実施の形態１と同様であるため、その説明を省略することとする。
【００４３】
実施の形態２では、作業員がリーダライタアプリを起動させた場合、まず、ＮＦＣ端末３０を無線子機２２に近づけさせるための案内画面を表示部３０３に表示する。図６はＮＦＣ端末３０に表示される案内画面の一例を示す模式図である。図６に示す案内画面１１０では、近距離無線通信部３０２の配置（すなわちＮＦＣアンテナ３０２ｂの位置）を示すターゲットマーク１０４を表示すると共に、ＮＦＣ端末３０は、ターゲットマーク１０４を無線子機２２に近づけるべき旨の案内を表示する。また、案内画面１１０には、近距離無線通信を利用して無線子機２２に情報を読み書きするためのアプリケーション画面１００へ遷移させるネクストボタン１０５が配置されている。このネクストボタン１０５は、例えばタッチパネルを利用したソフトウェアボタンとして配置される。ネクストボタン１０５が作業員の指によりタッチ操作されたとき、制御部３００は、案内画面１１０に代えてアプリケーション画面１００を表示部３０３に表示させる。
【００４４】
図７は実施の形態２に係るアプリケーション画面１００の一例を示す模式図である。実施の形態２に係るアプリケーション画面１００は、例えば、無線子機２２から読み出した情報、及び無線子機２２に対して書き込むべき情報を表示するための表示欄１０１、無線子機２２から情報を読み出すときに操作されるリードボタン１０２、無線子機２２に対して情報を書き込むときに操作されるライトボタン１０３を含む。
【００４５】
実施の形態２では、ＮＦＣ端末３０が無線子機２２に近づいた後に、アプリケーション画面１００に遷移させる構成としているので、近距離無線通信部３０２の配置情報を示すターゲットマーク１０４をアプリケーション画面１００に表示する必要はない。このため、近距離無線通信部３０２のＮＦＣアンテナ３０２ｂが表示欄１０１、リードボタン１０２、ライトボタン１０３と重なる位置に配置されている場合であっても、ターゲットマーク１０４の表示と重なることはないので、アプリケーション画面１００の視認性が低下することはなく、良好な操作環境を作業員に提供することができる。
【００４６】
図８は実施の形態２に係るＮＦＣ端末３０の動作を説明するフローチャートである。ＮＦＣ端末３０の制御部３００は、操作部３０４にて所定の操作を受付けることにより、リーダライタアプリの起動指示を受付けたか否かを判断する（ステップＳ１１）。起動指示を受付けていない場合（Ｓ１１：ＮＯ）、制御部３００は、リーダライタアプリの起動指示を受付けるまで待機する。
【００４７】
起動指示を受付けたと判断した場合（Ｓ１１：ＹＥＳ）、制御部３００は、表示部３０３に図６に示すような案内画面１１０を表示する（ステップＳ１２）。
【００４８】
次いで、制御部３００は、案内画面１１０上でネクストボタン１０５が押下操作されたか否かを判断することにより、アプリケーション画面１００へ遷移するか否かを判断する（ステップＳ１３）。ネクストボタン１０５が押下操作されていない場合、アプリケーション画面１００へ遷移しないと判断し（Ｓ１３：ＮＯ）、制御部３００は、ネクストボタン１０５が押下操作されるまで待機する。
【００４９】
ネクストボタン１０５が押下操作された場合、制御部３００は、アプリケーション画面１００へ遷移すると判断する（Ｓ１３：ＹＥＳ）。このとき、ＮＦＣ端末３０が通信相手の無線子機２２の近傍に位置すると判断することができ、制御部３００は、表示部３０３での表示をアプリケーション画面１００に遷移させることにより（ステップＳ１４）、通信待ちの状態へ移行させる。
【００５０】
次いで、制御部３００は、アプリケーション画面１００上でリードボタン１０２が押下操作されたか否かを判断する（ステップＳ１５）。リードボタン１０２が押下操作された場合（Ｓ１５：ＹＥＳ）、ＮＦＣ端末３０は、近距離無線通信部３０２を通じて無線子機２２と近距離無線通信を行い、無線子機２２に記憶されている情報の読み込みを行う（ステップＳ１６）。近距離無線通信により無線子機２２から取得した情報は、例えばアプリケーション画面１００に表示される。
【００５１】
リードボタン１０２が押下操作されていない場合（Ｓ１５：ＮＯ）、制御部３００は、アプリケーション画面１００上でライトボタン１０３が押下操作されたか否かを判断する（ステップＳ１７）。ライトボタン１０３が押下操作された場合（Ｓ１７：ＹＥＳ）、ＮＦＣ端末３０は、近距離無線通信部３０２を通じて無線子機２２と近距離無線通信を行い、無線子機２２への情報の書き込みを行う（ステップＳ１８）。なお、ライトボタン１０３が押下操作されていない場合（Ｓ１７：ＮＯ）、制御部３００は、処理をステップＳ１５へ戻す。
【００５２】
以上のように、実施の形態２では、リーダライタアプリが起動した時点で案内画面１１０を表示してＮＦＣ端末３０を無線子機２２に近づけるように誘導することができる。ＮＦＣ端末３０が無線子機２２に近づいた後に、アプリケーション画面１００を表示するので、近距離無線通信部３０２の配置情報を示すターゲットマーク１０４をアプリケーション画面１００に表示する必要はない。このため、アプリケーション画面１００上の表示にターゲットマーク１０４が重なることはなく、アプリケーション画面１００の視認性が低下することはなく、良好な操作環境を作業員に提供することができる。
【００５３】
（実施の形態３）
実施の形態３では、ＮＦＣ端末３０の機種名を認識し、認識した機種名に応じてターゲットマーク１０４を表示する構成について説明を行う。
【００５４】
実施の形態３に係るＮＦＣ端末３０は、ＮＦＣ端末３０の機種名と、近距離無線通信部３０２の配置情報とを関連付けて記憶する配置テーブルを備える。このような配置テーブルは、例えばＮＦＣ端末３０にインストールされるリーダライタアプリ内部で定義される。
【００５５】
図９は配置テーブルの位置例を示す概念図である。図９に示す配置テーブルは、ＮＦＣ端末３０，３０，…，３０の機種名ＳＨ００１，ＳＨ００２，…，ＳＨ００Ｎに対応付けて、夫々のＮＦＣ端末３０の近距離無線通信部３０２の位置情報（ｘ１，ｙ１）、（ｘ２，ｙ２）、…（ｘＮ，ｙＮ）が記憶されている。近距離無線通信部３０２の位置は、例えば、対応する位置を表示部３０３上の座標として表すことができる。
【００５６】
図１０は実施の形態３に係るＮＦＣ端末３０の動作を説明するフローチャートである。ＮＦＣ端末３０の制御部３００は、自機の機種名を特定する（ステップＳ２１）。操作部３０４を通じて作業員に機種名を入力させることより、自機の機種名を特定する構成であってもよく、記憶部３０１等に予め記憶されている機種名の情報を読み出すことにより、自機の機種名を特定する構成としてもよい。
【００５７】
次いで、制御部３００は、特定した機種名に対応する配置情報を配置テーブルから読み出す（ステップＳ２２）。
【００５８】
次いで、制御部３００は、リーダライタアプリが起動されたか否かを判断することにより、案内表示を行うか否かを判断する（ステップＳ２３）。案内表示を行なわない場合（Ｓ２３：ＮＯ）、制御部３００は、リーダライタアプリが起動されるまで待機する。
【００５９】
リーダライタアプリが起動され、案内表示を行うと判断した場合（Ｓ２３：ＹＥＳ）、制御部３００は、ステップＳ２２で読み出した配置情報に基づき、ターゲットマーク１０４を表示部３０３に表示させる（ステップＳ２４）。このとき、制御部３００は、実施の形態１で説明したように、リーダライタアプリのアプリケーション画面１００にターゲットマーク１０４を表示するか、又は実施の形態２で説明したように、案内画面１１０にターゲットマーク１０４を表示する。
【００６０】
以上のように、実施の形態３に係るＮＦＣ端末３０は、各機種に対応する近距離無線通信部３０２の配置情報を持つので、自機の機種名に対応する配置情報を読み出すことにより、無線子機２２と近距離無線通信が良好に行えるポイントを作業員に適切に報知することができる。
【００６１】
（実施の形態４）
実施の形態４では、無線子機２２において所定の操作を受付けた場合に、近距離無線通信部２２６に電力を供給する構成について説明を行う。
【００６２】
図１１は実施の形態４に係る無線子機２２の動作を説明するフローチャートである。無線子機２２の制御部２２０は、操作部２２５を通じて所定の操作を受付けたか否かを判断する（ステップＳ４１）。所定の操作を受付けていない場合（Ｓ４１：ＮＯ）、制御部２２０は所定の操作を受付けるまで待機する。
【００６３】
所定の操作を受付けたと判断した場合（Ｓ４１：ＹＥＳ）、制御部２２０は、近距離無線通信部２２６へ電力を供給する（ステップＳ４２）。
【００６４】
以上のように、実施の形態４では、無線子機２２側の操作をトリガとして無線子機２２の近距離無線通信部２２６に電力を供給することができるので、通信相手のＮＦＣ端末３０が近づいてきたときに、速やかに通信を開始させることができる。
【００６５】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【００６６】
例えば、実施の形態１〜４では、近距離無線通信部３０２の配置情報を表示部３０３に表示する構成としたが、ＮＦＣ端末３０が音声出力手段を備える場合、近距離無線通信部３０２の配置情報を音声により通知する構成としてもよい。
【００６７】
また、実施の形態１〜４では、ターゲットマーク１０４を二重円により表したが、マークの形状はこれに限定されるものではなく、矩形、菱形、十字形、矢印等の形状であってもよい。更に、図５の画面表示の場合で説明すると、ターゲットマーク１０４が種々の画面表示文字と重なった場合であっても、文字認識が可能となるようにターゲットマーク１０４を透かし表示にしてもよく、またターゲットマーク１０４を非表示に設定できるようにしてもよい。
【００６８】
以上の実施の形態に関し、更に以下の付記を開示する。
【００６９】
本願の情報処理装置は、記憶部（２２１）を備える通信装置（２２）と近距離通信を行う近距離無線通信部（３０２）を備え、該近距離無線通信部（３０２）を通じて、前記記憶部（２２１）に書き込むべき情報を送信すると共に、前記記憶部（２２１）から読み出した情報を受信する携帯型の情報処理装置（３０）において、自装置内での前記近距離無線通信部（３０２）の配置に係る情報を記憶する記憶手段（３０１）と、該記憶手段（３０１）から読み出した配置に係る情報を報知する報知手段（３０３）とを備えることを特徴とする。
【００７０】
本願では、近距離無線通信部の配置情報を報知できるので、情報処理装置を携帯する作業員は、報知される情報に従って情報処理装置を通信装置の所定の箇所に近づけることにより、通信状況が良好な状態で近距離無線通信を実施することができる。
【００７１】
本願の情報処理装置は、前記近距離無線通信部（３０２）は、情報を送受信するためのアンテナ（３０２ｂ）を有し、前記記憶手段（３０１）は、前記近距離無線通信部（３０２）の配置に係る情報として、前記アンテナ（３０２ｂ）の位置を記憶してあることを特徴とする。
【００７２】
本願では、近距離無線通信部で用いられるアンテナの位置を報知できるので、情報処理装置を携帯する作業員は、報知される情報に従って情報処理装置を通信装置の所定の箇所に近づけることにより、通信状況が良好な状態で近距離無線通信を実施することができる。
【００７３】
本願の情報処理装置は、前記報知手段（３０３）は、前記配置に係る情報を表示する表示パネルを備えることを特徴とする。
【００７４】
本願では、近距離無線通信部の配置情報を画面上に表示できるので、情報処理装置を携帯する作業員は、画面上に表示される情報に従って情報処理装置を通信装置の所定の箇所に近づけることにより、通信状況が良好な状態で近距離無線通信を実施することができる。
【００７５】
本願の情報処理装置は、情報処理装置を識別する識別情報と、該情報処理装置内での近距離無線通信部（３０２）の配置に係る情報とを関連付けて前記記憶手段（３０１）に記憶してあり、自装置の識別情報に対応付けて記憶されている情報を前記記憶手段（３０１）から読み出すようにしてあることを特徴とする。
【００７６】
本願では、各機種に対応する近距離無線通信部の配置情報を持つので、自機の機種名に対応する配置情報を読み出すことにより、通信装置と近距離無線通信が良好に行えるポイントを作業員に適切に報知することができる。
【００７７】
本願の無線テレメータシステムは、記憶部（２２１）と、需要家に供給される供給物の使用量を計測するメータを接続する接続手段（２２３）とを備える通信装置（２２）、及び、該通信装置（２２）と近距離通信を行う近距離無線通信部（３０２）を備え、該近距離無線通信部（３０２）を通じて、前記記憶部（３０１）に書き込むべき情報を送信すると共に、前記記憶部（３０１）から読み出した情報を受信する携帯型の情報処理装置（３０）を含む無線テレメータシステムにおいて、前記情報処理装置（３０）は、自装置内での前記近距離無線通信部（３０２）の配置に係る情報を記憶する記憶手段（３０１）と、該記憶手段（３０１）から読み出した配置に係る情報を報知する報知手段（３０３）とを備えることを特徴とする。  
【００７８】
本願では、近距離無線通信部の配置情報を報知できるので、情報処理装置を携帯する作業員は、報知される情報に従って情報処理装置を通信装置の所定の箇所に近づけることにより、通信状況が良好な状態で近距離無線通信を実施することができる。
【符号の説明】
【００７９】
１１  ホストコンピュータ
１２  センタ側網制御装置
２１  無線親機
２２  無線子機
２３  メータ
３０  ＮＦＣ端末
２２０，３００  制御部
２２１，３０１  記憶部
２２２  狭域無線通信部
２２４，３０３  表示部
２２５，３０４  操作部
２２６，３０２  近距離無線通信部
【図１】
2016100727.tif 000003
【図２】
2016100727.tif 000004
【図３】
2016100727.tif 000005
【図４】
2016100727.tif 000006
【図５】
2016100727.tif 000007
【図６】
2016100727.tif 000008
【図７】
2016100727.tif 000009
【図８】
2016100727.tif 000010
【図９】
2016100727.tif 000011
【図１０】
2016100727.tif 000012
【図１１】
2016100727.tif 000013